【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
ひとつ又は複数の測定端末と、前記測定端末とローカルネットワークを介して通信するネットワーク相互接続装置と、前記ネットワーク相互接続装置と広域ネットワークを介して通信する監視センタを備える遠隔監視システムにおける前記ネットワーク相互接続装置であって、
前記測定端末が測定した測定データを受信する受信部と、
受信した測定データを、他のデータよりも優先して送信する第１データと、他のデータよりも優先して送信しなくてもよい第２データとに分類する判定部と、
前記第１データを蓄積する第１データ蓄積部と、
前記第２データを蓄積する第２データ蓄積部と、
前記第１データ蓄積部に蓄積された前記第１データと、前記第２データ蓄積部に蓄積された前記第２データを、格納する送信バッファと、
前記送信バッファに格納された第１データ及び第２データを順に読み出して広域ネットワークに送信する送信部と、
前記第１データ蓄積部に蓄積された前記第１データと、前記第２データ蓄積部に蓄積された前記第２データを、前記送信バッファへ流入させる際の流入速度を、前記広域ネットワークの通信速度に基づき動的に制御する送信制御部と、
送信バッファの使用量と、送信バッファの許容使用量と、前記広域ネットワークの通信速度とに基づいて、前記第１データ蓄積部と前記第２データ蓄積部から前記送信バッファへ流入するデータの流入速度を決定する送信バッファ使用量制御部とを備え、
前記送信バッファ使用量制御部は、
前記送信バッファの使用量が、前記送信バッファの許容使用量を超えないように、データの流入速度を決定し、
前記広域ネットワークの通信速度が低下するにつれて、前記流入速度を小さくし、
前記送信制御部は、該第２データの後に前記送信バッファに格納される第１データの遅延を短くするために、第１データを優先して前記第１データ蓄積部から前記送信バッファへ流入させて、前記第２のネットワークの通信速度の低下に伴い第２データが前記送信バッファに溜まる量を減らす
ことを特徴とするネットワーク相互接続装置。
【請求項２】
前記広域ネットワークの通信速度に基づいて、前記送信バッファの使用量最大値を示す許容使用量を動的に変更する許容使用量決定部をさらに備える請求項１に記載のネットワーク相互接続装置。
【請求項３】
前記許容使用量決定部は、前記広域ネットワークの通信速度と、第１データが前記監視センタに到達するまでの要求通信遅延時間に基づいて、前記送信バッファの使用量最大値を示す許容使用量を求める請求項２に記載のネットワーク相互接続装置。
【請求項４】
前記送信バッファの使用量を監視する送信バッファ使用量監視部
をさらに備える請求項１に記載のネットワーク相互接続装置。
【請求項５】
前記送信バッファ使用量制御部は、前記送信バッファの使用量が前記送信バッファの許容使用量を上回っている場合には、データの流入速度を０にし、前記送信バッファの使用量が前記送信バッファの許容使用量を下回っている場合には、データの流入速度を広域ネットワークの通信速度と等しい値又は広域ネットワークの通信速度に基づく値にする請求項１に記載のネットワーク相互接続装置。
【請求項６】
前記広域ネットワークを介して受信する、前記広域ネットワークの通信速度と相関をもつ情報から、前記広域ネットワークの通信速度を推定する通信速度推定部をさらに備える請求項１に記載のネットワーク相互接続装置。
【請求項７】
前記広域ネットワークは、セルラネットワークであり、
前記通信速度推定部は、該セルラネットワークの基地局から通知される変調方式を示す情報に基づき、対応する広域ネットワークの通信速度を推定する請求項６に記載のネットワーク相互接続装置。
【請求項８】
前記通信速度推定部は、
前記広域ネットワークを介して前記監視センタへ送信したデータに従い該監視センタが測定した通信遅延時間を、該監視センタから前記広域ネットワークを介して受信し、
受信した通信遅延時間に基づき、前記広域ネットワークの通信速度を推定する請求項６に記載のネットワーク相互接続装置。
【請求項９】
前記通信速度推定部は、前記送信バッファの使用量の時間変化と、前記送信バッファへ流入するデータの速度に基づいて、前記広域ネットワークの通信速度を推定する請求項１に記載のネットワーク相互接続装置。
【請求項１０】
前記判定部は、前記測定データを第１乃至第Ｎ（Ｎは３以上の整数）データに分類し、
分類された第１乃至第Ｎデータを第１乃至第Ｎデータ蓄積部に蓄積する請求項１に記載のネットワーク相互接続装置。
【請求項１１】
前記ネットワーク相互接続装置は、２以上の物理的な装置で実装されることを特徴とする請求項１に記載のネットワーク相互接続装置。
【請求項１２】
ひとつ又は複数の測定端末と、
前記測定端末とローカルネットワークを介して通信するネットワーク相互接続装置と、
前記ネットワーク相互接続装置と広域ネットワークを介して通信する監視センタとを備え、
前記測定端末は、測定した測定データを前記ネットワーク相互接続装置に送信し、
前記ネットワーク相互接続装置は、
受信した測定データを、他のデータよりも優先して送信する第１データと、他のデータよりも優先して送信しなくてもよい第２データとに分類する判定部と、
前記第１データを蓄積する第１データ蓄積部と、
前記第２データを蓄積する第２データ蓄積部と、
前記第１データ蓄積部に蓄積された前記第１データと、前記第２データ蓄積部に蓄積された前記第２データを、格納する送信バッファと、
前記送信バッファに格納された第１データ及び第２データを順に読み出して広域ネットワークに送信する送信部と、
前記第１データ蓄積部に蓄積された前記第１データと、前記第２データ蓄積部に蓄積された前記第２データを、前記送信バッファへ流入させる際の流入速度を、前記広域ネットワークの通信速度に基づき動的に制御する送信制御部と、
送信バッファの使用量と、送信バッファの許容使用量と、前記広域ネットワークの通信速度とに基づいて、前記第１データ蓄積部と前記第２データ蓄積部から前記送信バッファへ流入するデータの流入速度を決定する送信バッファ使用量制御部とを備え、
前記送信バッファ使用量制御部は、
前記送信バッファの使用量が、前記送信バッファの許容使用量を超えないように、データの流入速度を決定し、
前記広域ネットワークの通信速度が低下するにつれて、前記流入速度を小さくし、
前記送信制御部は、該第２データの後に前記送信バッファに格納される第１データの遅延を短くするために、第１データを優先して前記第１データ蓄積部から前記送信バッファへ流入させて、前記第２のネットワークの通信速度の低下に伴い第２データが前記送信バッファに溜まる量を減らす
ことを特徴とする遠隔監視システム。
【請求項１３】
ひとつ又は複数の測定端末と、前記測定端末とローカルネットワークを介して通信するネットワーク相互接続装置と、前記ネットワーク相互接続装置と広域ネットワークを介して通信する監視センタを備える遠隔監視システムにおける通信制御方法であって、
ネットワーク相互接続装置は、
測定端末が測定した測定データを受信し、
受信した測定データを、他のデータよりも優先して送信する第１データと、他のデータよりも優先して送信しなくてもよい第２データとに分類し、
前記第１データと前記第２データを蓄積し、
蓄積された前記第１データと前記蓄積された第２データを、送信バッファに格納し、
送信バッファに格納された第１データ及び第２データを順に読み出して広域ネットワークに送信し、
蓄積された前記第１データと前記第２データを、送信バッファへ流入させる際の流入速度を、広域ネットワークの通信速度に基づき動的に制御し、
送信バッファの使用量と、送信バッファの許容使用量と、前記広域ネットワークの通信速度とに基づいて、前記第１データ蓄積部と前記第２データ蓄積部から前記送信バッファへ流入するデータの流入速度を、前記送信バッファの使用量が前記送信バッファの許容使用量を超えないように決定し、
前記広域ネットワークの通信速度が低下するにつれて、前記流入速度を小さくし、
該第２データの後に前記送信バッファに格納される第１データの遅延を短くするために、第１データを優先して前記第１データ蓄積部から前記送信バッファへ流入させ、
前記第２のネットワークの通信速度の低下に伴い第２データが前記送信バッファに溜まる量を減らすことを特徴とする通信制御方法。